(57)【要約】【課題】熱を効率よく使い、噴出された蒸気で十分に衣類を蒸し、掛け面の熱で乾燥させてしわ伸ばしを効率よく仕上げることができるスチームアイロンを提供する。【解決手段】ヒータ３によって加熱され、スチームを発生させる気化室ａ４と気化室ｂ５を有するベース２と、前記気化室ａ４、気化室ｂ５に供給する水を蓄える水タンク（図示せず）と、前記水タンクから前記気化室ａ４と気化室ｂ５への水の供給量を選択的に制御する開閉装置（図示せず）とを備え、前記気化室ａ４と気化室ｂ５の一方は、他よりスチームの発生量を少なくしたもので、一つの気化室（例えば、気化室ａ４）をスチーム発生用に、他の気化室（気化室ｂ５）を衣類の成形乾燥用にそれぞれ用いることができ、しわ伸ばしが効率よくできる。【選択図】図１
2006320609.tif 000002
【特許請求の範囲】
【請求項１】
ヒータによって加熱され、スチームを発生させる気化室を複数有するベースと、前記気化室に供給する水を蓄える水タンクと、前記水タンクから前記気化室への水の供給量を選択的に制御する開閉装置とを備え、前記複数の気化室のうち少なくとも１つは、他の気化室よりスチームの発生量を少なくしたスチームアイロン。
【請求項２】
ベースの下面に、前記複数の気化室と連通するスチーム穴を複数有する掛け面を設けた請求項１に記載のスチームアイロン。
【請求項３】
掛け面を、ベースとは別部材で形成した請求項２に記載のスチームアイロン。
【請求項４】
ベースの温度を感知する熱受感部と、ヒータへの通電を制御して前記ベースの温度を調節する温度制御手段を備え、前記熱受感部をスチームの発生量の少ない気化室に設けた請求項１〜３のいずれか１項に記載のスチームアイロン。
【請求項５】
増量スチームを発生させるための水を水タンクから供給するポンプ装置を備え、前記ポンプ装置からの前記水の吐出口を、スチームの発生量の少ない気化室に設けた請求項１〜４のいずれか１項に記載のスチームアイロン。
【発明の詳細な説明】
【技術分野】
【０００１】
本発明は、衣類等のしわ伸ばしに用いられるスチームアイロンに関するものである。
【背景技術】
【０００２】
図６は、従来のこの種のスチームアイロンの内部構造を示す平面図で、スチームを発生させる気化室１８が１つだけ設けられているのが一般的であった（例えば、特許文献１参照）。
【特許文献１】特開平６−３１９９００号公報
【発明の開示】
【発明が解決しようとする課題】
【０００３】
アイロン掛けによるしわ伸ばしのメカニズムを説明すると、スチームアイロンの掛け面のスチーム穴から噴出された蒸気によって、衣類の繊維が熱と水分で膨潤し、繊維の変形部すなわち衣類しわが軟化し、その後直ちに通過する掛け面の熱で平面に成形乾燥されて、衣類のしわが伸ばされる。しかしながら、従来のスチームアイロンでは、綿繊維の衣類のしわを伸ばすときには、多量のスチームを必要とするが、図６のように１つの気化室１８でスチームを発生させるため、衣類の成形乾燥に使われるべき熱がスチームを発生させるのに使われるため、噴出した蒸気を乾かす作用が不十分で、衣類のしわ伸ばしを効率良く仕上げることができないという課題があった。
【０００４】
本発明は、前記従来の課題を解決するもので、しわ伸ばしを効率よく仕上げられるスチームアイロンを提供することを目的とする。
【課題を解決するための手段】
【０００５】
前記従来の課題を解決するために、本発明のスチームアイロンは、ヒータによって加熱され、スチームを発生させる気化室を複数有するベースと、前記気化室に供給する水を蓄える水タンクと、前記水タンクから前記気化室への水の供給量を選択的に制御する開閉装置とを備え、前記複数の気化室のうち少なくとも１つは、他の気化室よりスチームの発生量を少なくしたもので、一つの気化室よりスチームを発生させているときに、他の気化室の熱を衣類の成形乾燥用に用いることができるので、しわ伸ばしを効率よく行うことができるスチームアイロンを提供することができる。
【発明の効果】
【０００６】
本発明のスチームアイロンは、熱をスチームの発生と衣類の成形乾燥に用いることにより、しわ伸ばしを効率よく仕上げることができる。
【発明を実施するための最良の形態】
【０００７】
第１の発明は、ヒータによって加熱され、スチームを発生させる気化室を複数有するベースと、前記気化室に供給する水を蓄える水タンクと、前記水タンクから前記気化室への水の供給量を選択的に制御する開閉装置とを備え、前記複数の気化室のうち少なくとも１つは、他の気化室よりスチームの発生量を少なくしたもので、一つの気化室よりスチームを発生させているときに、他の気化室の熱を衣類の成形乾燥用に用いることができるので、しわ伸ばしを効率よく行うことができるスチームアイロンを提供することができる。
【０００８】
第２の発明は、特に、第１の発明のベースの下面に、前記複数の気化室と連通するスチーム穴を複数有する掛け面を設けたもので、掛け面全体からスチームが噴出することにより、衣類に当たるスチームの面積が大きくなり、効率よくアイロン掛けを行えるスチームアイロンを提供することができる。
【０００９】
第３の発明は、特に、第２の発明の掛け面を、ベースとは別部材で形成したもので、ベースと複数のスチーム穴を有する掛け面を一体に形成するのに比べ、加工がきわめて容易になり、安価で品質の安定したスチームアイロンを提供することができる。
【００１０】
第４の発明は、特に、第１〜３のいずれか一つの発明のベースの温度を感知する熱受感部と、ヒータへの通電を制御して前記ベースの温度を調節する温度制御手段を備え、前記熱受感部をスチームの発生量の少ない気化室に設けたもので、少ないスチームでも熱の受感がよくなるので、ベースの温度を常に最良の状態にすることができる。
【００１１】
第５の発明は、特に、第１〜４のいずれか一つの発明のスチームアイロンに増量スチームを発生させるための水を水タンクから供給するポンプ装置を備え、前記ポンプ装置からの前記水の吐出口を、スチームの発生量の少ない気化室に設けたもので、ベースの温度低下を素早く受感することができるので、ベースの温度を常に最良の状態にすることができる。
【００１２】
以下、本発明の実施の形態について、図面を参照しながら説明する。なお、本実施の形態によって本発明が限定されるものではない。
【００１３】
（実施の形態１）
図１は、本発明の第１の実施の形態におけるスチームアイロンの内部構造を示す平面図、図２は、同スチームアイロンの要部断面図、図３は、同スチームアイロンの下面図、図４は、図２のＡ−Ａ断面図である。
【００１４】
図１〜図４において、アイロン本体１は、ヒータ３により加熱されるベース２と、ベース２の上面にスチームを発生させると共に左右方向に併設された気化室ａ４と気化室ｂ５と、気化室ａ４と気化室ｂ５に水を供給する水タンク６と、水タンク６から気化室ａ４への水の流れを制御する開閉装置ａ７と、気化室ｂ５への水の流れを制御する開閉装置ｂ８を備えている。
【００１５】
開閉装置ａ７の下部に気化室ａ４に水を供給するノズルａ９が、開閉装置ｂ８の下部に気化室ｂ５に水を供給するノズルｂ１０がそれぞれ設けられ、ノズルｂ１０とノズルａ９の内径差により、一方の気化室ｂ５と比べ気化室ａ４への水の供給量を少なくしている。
【００１６】
アイロン本体１のベース２下面には、ベース２とは別部材で、気化室ａ４、気化室ｂ５から発生したスチームを噴出させるスチーム穴１１を複数形成した掛け面１２と、ベース２の温度を感知する熱受感部１３と、気化室ａ４側に設けられ熱受感部１３を取り付ける熱受感部取付部１４と、ヒータ３への通電を制御してベース２の温度を制御する温度制御手段１５と、多量のスチームを発生させるため、水タンク６から水を供給するポンプ装置１６と、気化室ａ４側に設けられポンプ装置１６から気化室ａ４へ水を排出する吐出口１７とを備えている。
【００１７】
なお、その他の構成は、従来よく知られたスチームアイロンと同様であるので、詳しい説明は省略する。
【００１８】
以上のように構成されたスチームアイロンの作用、動作について、以下に説明する。
【００１９】
なお、スチームアイロンとしての基本的な動作は、従来よく知られたものと同様であるので、詳しい説明は省略する。
【００２０】
ベース２が、水の気化温度まで加熱されているとき、開閉装置ａ７を開放することで、ノズルａ９を通って気化室ａ４に水が侵入し、水が気化されスチームを発生させることができる。このとき、気化室ｂ５の熱量はスチーム発生に用いられていないので、気化室ｂ５の熱を成形乾燥に用いることにより、しわ伸ばしを効率よく仕上げられるスチームアイロンを提供することができる。
【００２１】
また、気化室ａ４、気化室ｂ５と連通する複数のスチーム穴１１を有する掛け面１２を設けることにより、掛け面１２全体からスチームが噴出し、衣類に当たるスチームの吐出面積が大きくなり、効率よくアイロン掛けを行えるスチームアイロンを提供することができる。
【００２２】
また、複数のスチーム穴１１を有する掛け面１２を、ベース２とは別部材で形成しているので、一体に加工するのに比べ、加工が極めて容易になり、安価で品質の安定したスチームアイロンを提供することができる。
【００２３】
また、熱受感部１３を気化室ａ４側に設けることにより、少量のスチームでもベース２の温度低下の感知を素早く行うことができるので、ベース２の温度を常に最良の状態にすることができ、効率よくアイロン掛けを行えるスチームアイロンを提供することができる。
【００２４】
また、ポンプ装置１６からの水の吐出口１７を気化室ａ４側に設けることにより、ベース２の温度低下の感知を素早く行うことができ、ベース２の温度を常に最良の状態にすることができ、効率よくアイロン掛けができるスチームアイロンを提供することができる。
【００２５】
図５は、気化室ｂ５をベースの前方に、気化室ａ４をベース２の後方に配置した例を示すもので、気化室ａ４側でスチームを発生させたとき、気化室ｂ５の熱を利用して衣類の成形乾燥を行うことにより、きめ細かくアイロン掛けをすることができる。
【産業上の利用可能性】
【００２６】
以上のように、本発明にかかるスチームアイロンは、熱をスチームの発生と衣類の成形乾燥に用いることにより、しわ伸ばしを効率よく仕上げることができるもので、家庭用、業務用のスチームアイロンに広く適用できる。
【図面の簡単な説明】
【００２７】
【図１】本発明の実施の形態１におけるスチームアイロンの内部構成を示す平面図
【図２】同スチームアイロンの要部断面図
【図３】同スチームアイロンの下面図
【図４】図２のＡ−Ａ断面図
【図５】スチームアイロンの気化室の他の配置例を示す平面図
【図６】従来のスチームアイロンの内部構成を示す平面図
【符号の説明】
【００２８】
１  アイロン本体
２  ベース
３  ヒータ
４  気化室ａ（気化室）
５  気化室ｂ（気化室）
６  水タンク
７  開閉装置ａ（開閉装置）
８  開閉装置ｂ（開閉装置）
【図１】
2006320609.tif 000003
【図２】
2006320609.tif 000004
【図３】
2006320609.tif 000005
【図４】
2006320609.tif 000006
【図５】
2006320609.tif 000007
【図６】
2006320609.tif 000008